(57)【要約】【課題】  インキ供給ローラと印圧部材となるプレスローラとのオフセット量の調整に際し、騒音や振動が少なくインキ供給ローラとドクタローラとの隙間変化の発生を防止して、所定の画像品質を得ることの可能な印圧部材可変機構を提供する。【解決手段】  版胴１に印刷用紙Ｐを介して圧接する印刷位置と版胴から離間する非印刷位置とを選択的に占める印圧部材９を回転自在に支持する揺動可能なアーム部材２５Ｌ、２５Ｒを、機枠２９Ｌ，２９Ｒに回転自在に支持された中心軸２４に設けられ軸部２４Ｃよりも大径の偏心円で構成された係合部２４Ａ、２４Ｂに固定し、駆動モータ６１を備えた駆動手段６０で中心軸２４を回転駆動することで、偏心量分だけアーム部材２５Ｌ、２５Ｒを移動させることで、版胴内部に設けられ版胴内周面１ｂにインキを供給するインキ供給ローラ５と印圧部材９の水平方向へのオフセット量δを調整する。【選択図】      図２
2005138550.tif 000002
【特許請求の範囲】
【請求項１】
外周面に印刷用原紙が巻着される回転自在な版胴に印刷用紙を介して圧接する印刷位置と前記版胴から離間する非印刷位置とを選択的に占める印圧部材と、前記版胴の内部に設けられ前記版胴内周面にインキ供給源からのインキを供給するインキ供給ローラとの水平方向へのオフセット量を調整する印圧部材可変機構であって、
前記印圧部材可変機構は、前記印圧部材の両端を回転自在に支持する揺動可能な一対のアーム部材と、前記一対のアーム部材の揺動中心を貫通し、各アーム部材と係合する係合部を有し、この係合部がそれ以外の軸部よりも大径の偏心円でなるアーム部材以外の部材に回転自在に支持された中心軸と、前記印圧部材に対して前記印刷位置への移動習性を与える部材と、前記中心軸を回転駆動する駆動モータを備えた駆動手段と、前記中心軸の回転角を検出する回転角検出手段とを備えたことを特徴とする印圧部材可変機構。
【請求項２】
請求項１記載の印圧部材可変機構において、
前記駆動機構は、前記中心軸に設けられたウォームホイールと、前記駆動モータの出力軸に設けられていて前記ウォームホイールと噛み合うウォームギアとを備え、
前記回転角検出手段は、前記中心軸と一体回転可能に設けらたれた回転角度検知用部材と、前記回転角度検知用部材の回転から前記中心軸の回転角度を検出するセンサとを有することを特徴とする印圧部材可変機構。
【請求項３】
請求項１記載の印圧部材可変機構において、
入力される印刷速度情報に応じて前記駆動モータの駆動時間及び回転方向を制御する制御手段を有することを特徴とする印圧部材可変機構。
【請求項４】
請求項１記載の印圧部材可変機構において、
入力される気温情報又はインク温度情報に応じて前記駆動モータの駆動時間及び回転方向を制御する制御手段を有することを特徴とする印圧部材可変機構。
【請求項５】
請求項１記載の印圧部材可変機構において、
入力される印刷濃度情報に応じて前記駆動モータの駆動時間及び回転方向を制御する制御手段を有することを特徴とする印圧部材可変機構。
【請求項６】
請求項１記載の印圧部材可変機構において、
入力される印刷枚数情報に応じて前記駆動モータの駆動時間及び回転方向を制御する制御手段を有することを特徴とする印圧部材可変機構。
【請求項７】
請求項１記載の印圧部材可変機構において、
入力されるインキ種類情報に応じて前記駆動モータの駆動時間及び回転方向を制御する制御手段を有することを特徴とする印圧部材可変機構。
【請求項８】
外周面に印刷用原紙が巻着される回転自在な版胴と、この版胴に印刷用紙を介して圧接する印刷位置と前記版胴から離間する非印刷位置とを選択的に占める印圧部材とを備えた孔版印刷装置において、
前記版胴の内部に設けられ前記版胴内周面にインキ供給源からのインキを供給するインキ供給ローラと前記印圧部材との水平方向へのオフセット量を調整する印圧部材可変機構として、請求項１または２記載の印圧部材可変機構を有することを特徴とする孔版印刷装置。
【請求項９】
請求項８記載の孔版印刷装置において、
印刷速度情報を設定する印刷速度設定手段と、前記印刷速度設定手段によって設定された印刷速度情報に応じて前記駆動モータの駆動時間及び回転方向を制御する制御手段とを有することを特徴とする孔版印刷装置。
【請求項１０】
請求項８記載の孔版印刷装置において、
気温又はインク温度を検出する温度検出手段と、前記温度検出手段で検出された温度情報に応じて前記駆動モータの駆動時間及び回転方向を制御する制御手段を有することを特徴とする孔版印刷装置。
【請求項１１】
請求項８記載の孔版印刷装置において、
印刷濃度を設定する印刷濃度設定手段と、前記印刷濃度設定手段で設定された印刷濃度情報に応じて前記駆動モータの駆動時間及び回転方向を制御する制御手段を有することを特徴とする孔版印刷装置。
【請求項１２】
請求項８記載の孔版印刷装置において、
印刷枚数を計数する印刷枚数計数手段と、前記印刷枚数計数手段によって計数された印刷枚数情報に応じて前記駆動モータの駆動時間及び回転方向を制御する制御手段を有することを特徴とする孔版印刷装置。
【請求項１３】
請求項８記載の孔版印刷装置において、
インキの種類を設定／記憶するインキ情報設定手段と、前記インキ情報設定手段によって設定されたインキ種類情報に応じて前記駆動モータの駆動時間及び回転方向を制御する制御手段を有することを特徴とする孔版印刷装置。
【発明の詳細な説明】
【技術分野】
【０００１】
本発明は、版胴の内部に設けられ版胴内周面にインキ供給源からのインキを供給するインキ供給ローラと版胴に印刷用紙を介して圧接する印圧部材とのオフセット量を調整する印圧部材可変機構および、それを有する孔版印刷装置に関する。
【背景技術】
【０００２】
孔版印刷装置は、外周面に印刷用原紙が巻着される回転自在な版胴と、この版胴に対して印刷用紙を介して印圧部材としてのプレスローラを圧接させることで、版胴内部でプレスローラとの対向位置に設けられたインキ供給ローラによって版胴内周面に供給されるインキを版胴外周面、原紙から滲み出させて印刷用紙に原紙に製版された画像を印刷している。  
プレスローラは、接離機構によって版胴外周面に対して接触する印刷位置と、離間する非印刷位置とを閉めるように構成されている。特許文献１には、独立して揺動する一対のアーム部材の基端部に支持されたプレスローラを、版胴の両端に設けられた一対の同一形状で、かつ同位相の印圧カムにより直接駆動して接離駆動する接離機構が記載されている。特許文献１には、印刷遠度とインク温度の変化に伴う画像濃度変化の補正手段として、プレスローラの版胴に対する圧接力を可変することが記載されている。  
特許文献２には、印刷開始時及びインク温度に応じた画像濃度補正手段として、プレスローラとインキ供給ローラとのオフセット量を、インクローラを変移させる事により可変とする構成が記載されている。
【０００３】
【特許文献１】特許第２８５７５５８号公報
【特許文献２】特許第３２２２５８１号公報
【発明の開示】
【発明が解決しようとする課題】
【０００４】
特許文献１に記載の接離方式では、プレスローラとインキ供給ローラとの水平方向へのオフセット量(図１符合δ参照)が常に一定であった。このオフセット量は、プレスローラ押圧によって版胴内部から外部へ滲出するインク量（インク供給量）に大きな影響を及ぼす特性値で、オフセット量が小さい程インクのインク供給量は多く、逆に大きい程インク供給量少なくなる事が知られている。特許文献１においては、オフセット量が固定であるため、印刷速度、環境温度、インク種類等の、孔版印刷装置における代表的な印刷条件を想定し、その条件の元で一元的にオフセット量を定めざるを得なかった。  
このため、例えば印刷最高速度と最低速度、夏場と冬場(気温の差異)、黒インクと各種カラーインク等々のインク供給量が異なる様な条件においては、同じ画質(濃度、ベタ埋まり等)が得られないおそれがあった。このような不具合を解消するためには、プレスローラの押圧力を変化させることが考えられるが、押圧力の増大に伴い騒音／振動が悪化するおそれがあり、更には押圧力の増大に伴う負荷増大により耐久性を損なうことが懸念される。
【０００５】
特許文献２においては、インクローラの位置を変移させることにより、プレスローラとのオフセット量を可変としているので、オフセット量を変化させて濃度補正を行う場合には、特許文献１のように押圧負荷が増大するおそれは極めて少ない。しかしながら、インキ供給ローラの近傍には、これと近接／協同してインク溜まりを形成し、且つインキ供給ローラとの隙間を利用して供給するインク量を計量／規制するドクタローラが設けられている。インクの通過を過不足なく円滑に供給するためにはインキ及びドクタの両ローラの隙間を厳しく規制する必要があり、両ローラ間の隙間が設定値以上になった場合には。所謂、尻漏れ／脇漏れ等のインク漏れが、同設定値以下となった場合には濃度低下や画像擦れが生じてしまうことが知られている。このため、インキ供給ローラとドクタローラの隙間は、通常０．０７ｍｍ〜０．０９ｍｍと公差±０.０１ｍｍで厳密に管理されている。特許文献２では、インキ供給ローラとドクタローラとを一対の側板で支持し、その側板を移動させてオフセット量を調整するが、側板を移動する際に用いる駆動系のガタ等により一対の側板自体に捩じれが生じ、ローラ端部付近の隙間に特に変化が生じてしまうおそれがある。ここで発生する捩じれは微小ではあるが、隙間管理として要求されている精度が０．０１ｍｍ単位のため、このような捩れによる隙間変化の発生も避けなければならない技術的要素である。
【０００６】
本発明は、インキ供給ローラとプレスローラとのオフセット量の調整に際し、騒音や振動が少なく、インキ供給ローラとドクタローラとの隙間変化の発生を防止して、所定の画像品質を得ることの可能な印圧部材可変機構及び孔版印刷装置を提供することを目的とする。
【０００７】
本発明は、インキ供給ローラとプレスローラとのオフセット量の調整に際し、騒音や振動が少なく、インキ供給ローラとドクタローラとの隙間変化の発生を防止して、所定の画像品質を得るとともに、所望の画質に合わせてインク供給量を調整可能な印圧部材可変機構及び孔版印刷装置を提供することを目的とする。
【課題を解決するための手段】
【０００８】
本発明は、外周面に印刷用原紙が巻着される回転自在な版胴に印刷用紙を介して圧接する印刷位置と版胴から離間する非印刷位置とを選択的に占める印圧部材と、版胴の内部に設けられ版胴内周面にインキ供給源からのインキを供給するインキ供給ローラとの水平方向へのオフセット量を調整可能とする印圧部材可変機構を提案するものである。
【０００９】
請求項１に記載の印圧部材可変機構は、印圧部材の両端を回転自在に支持する揺動可能な一対のアーム部材と、この一対のアーム部材の揺動中心を貫通し、各アーム部材と係合する係合部を有し、この係合部がそれ以外の軸部よりも大径の偏心円でなり、アーム部材以外の部材に回転自在に支持された中心軸と、印圧部材に対して印刷位置への移動習性を与える部材と、中心軸を回転駆動する駆動モータを備えた駆動手段と、中心軸の回転角を検出する回転角検出手段とを備えたことを特徴としている。
【００１０】
請求項２に記載の印圧部材可変機構は、請求項１記載の印圧部材可変機構において、駆動機構が、中心軸に設けられたウォームホイールと、駆動モータの出力軸に設けられていてウォームホイールと噛み合うウォームギアとを備え、回転角検出手段が、中心軸と一体回転可能に設けらたれた回転角度検知用部材と、回転角度検知用部材の回転から中心軸の回転角度を検出するセンサとを有することを特徴としている。
【００１１】
請求項３に記載の印圧部材可変機構は、請求項１記載の印圧部材可変機構において、入力される印刷速度情報に応じて駆動モータの駆動時間及び回転方向を制御する制御手段を有し、請求項４に記載の印圧部材可変機構は、請求項１記載の印圧部材可変機構において、入力される気温情報又はインク温度情報に応じて駆動モータの駆動時間及び回転方向を制御する制御手段を有することをそれぞれ特徴としている。
【００１２】
請求項５に記載の印圧部材可変機構は、請求項１記載の印圧部材可変機構において、入力される印刷濃度情報に応じて駆動モータの駆動時間及び回転方向を制御する制御手段を有し、請求項６に記載の印圧部材可変機構は、請求項１記載の印圧部材可変機構において、入力される印刷枚数情報に応じて駆動モータの駆動時間及び回転方向を制御する制御手段を有し、請求項７に記載の印圧部材可変機構は、請求項１記載の印圧部材可変機構において、入力されるインキ種類情報に応じて駆動モータの駆動時間及び回転方向を制御する制御手段を有することをそれぞれ特徴としている。
【００１３】
本発明は、外周面に印刷用原紙が巻着される回転自在な版胴と、この版胴に印刷用紙を介して圧接する印刷位置と版胴から離間する非印刷位置とを選択的に占める印圧部材とを備え、版胴の内部に設けられ版胴内周面にインキ供給源からのインキを供給するインキ供給ローラと印圧部材との水平方向へのオフセット量を調整可能とする孔版印刷装置を提案するものである。
【００１４】
請求項８に記載の孔版印刷装置は、請求項１又は２に記載の印圧部材可変機構を有し、請求項９記載の孔版印刷装置は、請求項８記載の孔版印刷装置において、印刷速度情報を設定する印刷速度設定手段と、印刷速度設定手段によって設定された印刷速度情報に応じて駆動モータの駆動時間及び回転方向を制御する制御手段とを有し、請求項１０に記載の孔版印刷装置は、請求項８記載の孔版印刷装置において、気温又はインク温度を検出する温度検出手段と、温度検出手段で検出された温度情報に応じて駆動モータの駆動時間及び回転方向を制御する制御手段を有することをそれぞれ特徴としている。
【００１５】
請求項１１に記載の孔版印刷装置は、請求項８記載の孔版印刷装置において、印刷濃度を設定する印刷濃度設定手段と、印刷濃度設定手段で設定された印刷濃度情報に応じて駆動モータの駆動時間及び回転方向を制御する制御手段を有し、請求項１２に記載の孔版印刷装置は、請求項８記載の孔版印刷装置において、印刷枚数を計数する印刷枚数計数手段と、印刷枚数計数手段によって計数された印刷枚数情報に応じて駆動モータの駆動時間及び回転方向を制御する制御手段を有し、請求項１３に記載の孔版印刷装置は、請求項８記載の孔版印刷装置において、インキの種類を設定／記憶するインキ情報設定手段と、インキ情報設定手段によって設定されたインキ種類情報に応じて駆動モータの駆動時間及び回転方向を制御する制御手段を有することをそれぞれ特徴としている。
【発明の効果】
【００１６】
本発明によれば、印圧部材と版胴内のインク供給ローラとの水平方向へのオフセット量の調整を、印刷部材側を移動させることで行えるので、騒音や振動が少なく、インキ供給ローラとドクタローラとの隙間変化の発生を防止しながら所定の画像品質を得ることができる。
【００１７】
本発明によれば、印圧部材と版胴内のインク供給ローラとの水平方向へのオフセット量の調整を、印刷速度に応じて駆動モータを制御することで印刷部材側を移動させることで行えるので、騒音や振動が少なく、インキ供給ローラとドクタローラとの隙間変化の発生を防止しながら、印刷速度に因らず所定の画像品質を得ることができるとともに、ユーザーが所望の画質に合わせてインク供給量を調整することができる。
【００１８】
本発明によれば、印圧部材と版胴内のインク供給ローラとの水平方向へのオフセット量を、気温やインキ温度に応じて駆動モータを制御することで印刷部材側を移動させることで行えるので、騒音や振動が少なく、インキ供給ローラとドクタローラとの隙間変化の発生を防止しながら、温度条件に因らずに所定の画像品質を得ることができるとともに、ユーザーが所望の画質に合わせてインク供給量を調整することができる。
【００１９】
本発明によれば、印圧部材と版胴内のインク供給ローラとの水平方向へのオフセット量の調整を、印刷濃度情報に応じて駆動モータを制御することで印刷部材側を移動させることで行えるので、騒音や振動が少なく、インキ供給ローラとドクタローラとの隙間変化の発生を防止しながら、印刷濃度に対応する所定の画像品質を得ることができるとともに、ユーザーが所望の画質に合わせてインク供給量を調整することができる。
【００２０】
本発明によれば、印圧部材と版胴内のインク供給ローラとの水平方向へのオフセット量の調整を、印刷枚数に応じて駆動モータを制御することで印刷部材側を移動させることで行えるので、騒音や振動が少なく、インキ供給ローラとドクタローラとの隙間変化の発生を防止しながら、印刷枚数に因らずに所定の画像品質を得ることができるとともに、ユーザーが所望の画質に合わせてインク供給量を調整することができる。
【００２１】
本発明によれば、印圧部材と版胴内のインク供給ローラとの水平方向へのオフセット量を、制御手段でインキ種類に応じて駆動モータを制御することで印刷部材側を移動させることで行えるので、騒音や振動が少なく、インキ供給ローラとドクタローラとの隙間変化の発生を防止しながらインキ種類に因らずに所定の画像品質を得ることができるとともに、ユーザーが所望の画質に合わせてインク供給量を調整することができる。
【発明を実施するための最良の形態】
【００２２】
以下、本発明の実施の形態について図面を用いて説明する。図５は、本発明の一実施例を適用した孔版印刷装置の要部構成図である。図５において、孔版印刷装置の要部は、図示しない機体部の中央部に配置され印刷用原紙となる製版済みマスタ（以下「マスタ」と記す）のマスタ３が外周面１ａに装着された円筒状の版胴１を備えた印刷装置１０と、版胴１の左下方に配置されていて、給紙台１１上に積層された印刷用紙Ｐを版胴１に送出する給紙装置２０と、この給紙装置２０に対向する図示しない機体部の下方に配置されていて、版胴１で印刷された印刷用紙Ｐを排紙台１６に排出する排紙装置３０とを備えている。
【００２３】
先ず印刷装置１０、給紙装置２０及び排紙装置３０について順次説明する。同図に示すように、印刷装置１０は、図示しない駆動モータにより回転中心軸２の周りに矢印方向（反時計回り方向）に回転駆動される版胴１と、版胴１の外周面１ａの一部にその軸線方向に延在してマスタ３の先端部を挟持する開閉可能なクランパ４と、版胴１の内周面１ｂにインキを供給するインキ供給ローラ５と、インキ供給ローラ５と微小間隙を置いて平行に配置されていて、インキ供給ローラ５との間に図示しないインキ溜まりを形成するドクタローラ６と、版胴１の回転中心軸を兼ねるとともに、図示しないインキ溜まりへインキを供給するインキ供給部としてのインキ供給管７とを有する。本形態において、インキ供給管７、インキ供給ローラ５及びドクタローラ６がインキ供給装置８を構成する。インキ供給ローラ５に対向する版胴１の外周面１ａの下方近傍には、印刷用紙Ｐを介して外周面１ａに圧接する印刷位置と外周面１ａから離間する非印刷位置とを選択的に占める印圧部材としてのプレスローラ９が配設されている。
【００２４】
給紙装置２０は、積層された印刷用紙Ｐを積載する給紙台１１と、印刷用紙Ｐを送出す給紙コロ１２と、印刷用紙Ｐを一枚ずつ分離する一対の分離コロ対１３ａ，１３ｂと、外周面１ａとプレスローラ９とが圧接する印刷部に所定タイミングで印刷用紙Ｐを送出する一対のレジストローラ対１４ａ，１４ｂとを有する。
【００２５】
排紙装置３０は、版胴１で印刷された印刷済の印刷用紙Ｐａを順次積載する排紙台１６と、版胴１の外周面近傍に配置され印刷用紙Ｐａを外周面１ａから剥離する分離爪１５と、分離爪１５によって剥離された印刷用紙Ｐａを排紙台１６上へ搬送するための搬送手段２１とを備えている。搬送手段２１は、吸着部ローラ１７，１８と吸着部ローラ１７，１８間に掛け渡された無端状で多孔性の搬送ベルト１９と、図示しない吸引ファンとを備えている。
【００２６】
図１に示すように、版胴１は、回転中心軸２と平行な方向に延在したステンレス製の多孔性の円筒体からなり、図示しないフレームに取り付けられたインキ供給管７に回転可能に支持されている周知のものである。版胴１の両端部には、回転中心軸２と同軸に、一対の互いに同輪郭形状のカム２２Ｌ，２２Ｒがそれぞれ実質一体的に取り付けられている。これらのカム２２Ｌ，２２Ｒは、合成樹脂製で大略円板形状に成形されていて、各カム２２Ｌ，２２Ｒの輪郭周面には同一直径からなる同径輪郭周面部２２ｃと、同径輪郭周面部２２ｃ及びクランパ４の最外周輪郭よりも径が大きい大径部としての凸状径部２２ａとがそれぞれ形成されている。カム２２Ｌ，２２Ｒは、これらの凸状径部２２ａが版胴１上のクランパ４を挟んで左右同一の位相位置になるように版胴１の端部にそれぞれ取り付けられている。各カム２２Ｌ，２２Ｒにおける凸状径部２２ａの輪郭周面は非画像印刷範囲に、カム２２Ｌ，２２Ｒにおける同径輪郭周面部２２ｃ（凸状径部２２ａを除く）は画像印刷範囲にそれぞれ対応して設定されている。
【００２７】
図１において、プレスローラ９は、版胴１の回転中心軸２と平行な方向に延在した合成ゴム性の周知のものであり、その軸９ａに実質一体的に取り付けられている。この軸９ｓの両端近傍には、カム２２Ｌ，２２Ｒと選択的に従動する、すなわち凸状径部２２ａとのみ係合する互いに同一形状の一対のカムフォロア９Ｌ，９Ｒが、プレスローラ９を挟んでそれぞれ実質一体的に取り付けられている。各カムフォロア９Ｌ，９Ｒの外径は、プレスローラ９の外径よりもやや小さく形成されていて、画像印刷範囲において外周面１ａとプレスローラ９との間で印刷用紙Ｐが押圧され印刷画像が転写でき得る程度の隙間が付与されている。
【００２８】
図１において、軸９ｓにおける各カムフォロア９Ｌ，９Ｒの外側端部には、軸受９ｊがそれぞれ設けられている。これら軸受９ｊは、左右において互いに同一形状の一対のアーム部材となるプレスローラアーム２５Ｌ，２５Ｒに保持されている。各プレスローラアーム２５Ｌ，２５Ｒの基端部は、各機枠２９Ｌ，２９Ｒの他端においてプレスローラアーム２５Ｌ，２５Ｒの揺動中心を構成する中心軸２４で枢着され、上下方向にそれぞれ独立して揺動自在に支持されている。各プレスローラアーム２５Ｌ，２５Ｒの自由端には、後述するプレスローラ係止手段と係止する切欠き爪２５ａがそれぞれ形成されている。この中心軸２４は、プレスローラアーム２５Ｌ，２５Ｒ以外の部材となる機枠２９Ｌ、２９Ｒに回転自在に支持されている。
【００２９】
各プレスローラアーム２５Ｌ，２５Ｒは、その略中央部においてその一端が係止され他端が図示しない孔版印刷装置の不動部材に係止された左右一対の、付勢手段としての引張りコイルバネ２６により、常に矢印上向き方向、すなわち各カムフォロア９Ｌ，９Ｒを各カム２２Ｌ，２２Ｒに圧接させる向きの付勢、及びプレスローラ９に対して外周面１ａに圧接させる向き、すなわち印圧位置への移動習性がそれぞれ与えられている。引張りコイルバネ２６のバネ特性は、その荷重、高さ及びバネ定数等が通常の品質規格よりも厳しく設定されている。
【００３０】
プレスローラ９は、以上の構成により、その左右両端部において同一位相で回転可能に支持され、かつ、左右一対の引張りコイルバネ２６により外周面１ａに圧接させられる向き（印圧位置）への移動習性が与えられている。したがって、プレスローラ９は、常に版胴１に密接する方向に各プレスローラアーム２５Ｌ，２５Ｒの基端部を中心に揺動自在に付勢されており、版胴１の印圧カム２２L、２２Ｒとプレスローラ5のカムフォロア９Ｌ、９Ｒとが夫々係合し且つ版胴1が回転駆動されることにより、版胴1に対し印刷位置と非印刷位置とに選択的に変位され、印刷位置においてその軸９ｓ方向の全領域に渡って外周面１ａに等分布荷重で均一に圧接されることで、印刷位置において版胴1を介してインキ供給ローラ５を圧接する。
【００３１】
各プレスローラアーム２５Ｌ，２５Ｒの近傍には、プレスローラアーム２５Ｌ，２５Ｒの揺動を選択的に係止する左右一対の印圧解除爪部材２８Ｌ，２８Ｒが、各機枠２９Ｌ，２９Ｒにおいて回動自在に支持された連結軸２８ｓの両端にそれぞれ固着されている。各印圧解除爪部材２８Ｌ，２８Ｒの自由端には、各プレスローラアーム２５Ｌ，２５Ｒの切欠き爪２５ａと選択的に係止する係止爪２８ａがそれぞれ形成されている。各印圧解除爪部材２８Ｌ，２８Ｒの基端における図において右側には、機枠２９Ｌ，２９Ｒに植設された左右一対のピン３２にその一端が係止された引張りコイルバネ３１の他端がそれぞれ係止されていて、常に反時計回り方向、すなわち切欠き爪２５ａと係止爪２８ａとが係止する向きの揺動習性が与えられている。印圧解除爪部材２８Ｌの基端における図において左側は、機枠２９Ｌに固設されたソレノイド３３のプランジャ３３ｐに連結されている。
【００３２】
次に、この孔版印刷装置における要部の動作について以下に説明する。以下、参照する図面の動作説明において、左右両側に存在する構成要素の動作は特に断らない限りその片側のみについて説明する。図５において、給紙台１１上に積載されている印刷用紙Ｐが、給紙コロ１２及び分離コロ対１３ａ，１３ｂによりレジストローラ対１４ａ，１４ｂへ向けて送られ、さらにレジストローラ対１４ａ，１４ｂにより版胴１の回転と同期した所定のタイミングで版胴１とプレスローラ９との間の印刷部に送出される。この時、図１に示すように、矢印方向（反時計回り方向）に回転する版胴１の外周面１ａに巻装されたマスタ３に対して、左右一対の引張りコイルバネ２６により軸９ｓ方向の全領域において均一に付勢されたプレスローラ９が印刷用紙Ｐを介して押圧することにより、版胴１内のインキがマスタ３の穿孔部分から印刷用紙Ｐの表面に転移されて、印刷用紙Ｐに所望の画像が印刷される。この時、インキ供給ローラ５も版胴１の回転方向と同一方向に回転し、インキを版胴１の内周面１ｂに供給する。印刷された印刷用紙Ｐａは、分離爪１５によって外周面１ａから剥離され、図５において、回転する吸着部ローラ１７，１８間に掛け渡され回り動く搬送ベルト１９に沿って案内され、排紙台１６上に落下し、印刷用紙１枚目の印刷工程が終了する。
【００３３】
版胴１がさらに矢印方向（反時計回り方向）に回転されカム２２Ｌの凸状径部２２ａが下方近傍、すなわち非印刷位置に到ると、凸状径部２２ａとカムフォロア９Ｌとが摺接し、プレスローラアーム２５Ｌが中心軸２４を中心として下方に揺動されることにより、プレスローラ９は引張りコイルバネ２６の付勢力に抗して外周面１ａ及びクランパ４の輪郭外周面から離間される。こうして、クランパ４とプレスローラ９との干渉が回避される。さらに版胴１が矢印方向に回転されクランパ４が分離爪１５の先端近傍、すなわち非分離位置に近付くと、凸状径部２２ａに同図に図示しないコロが接触して転動し、分離爪軸３４が反時計回り方向に回転されることによって、分離爪１５の先端がクランパ４の輪郭外周面から離間される。このようにして、クランパ４部位と分離爪１５の先端との干渉が回避される。版胴１がさらに回転され凸状径部２２ａが下方から遠ざかると、印刷用紙２枚目の印刷工程が開始されて、上記動作と同様の動作が所定印刷枚数分繰り返されて印刷が終了する。
【００３４】
印刷を終了させるときには、図１において、版胴１に最後の印刷用紙Ｐを介してプレスローラ９を圧接している間に、それまで励磁状態を保持していたソレノイド３３を非励磁状態とする。すると、印圧解除爪部材２８Ｌが揺動し、印圧解除爪部材２８Ｌの自由端面部２８ｂがプレスローラアーム２５Ｌの自由端突出面２５ｂに当接する。やがて、上記最後の印刷用紙Ｐが排出され、かつ、版胴１の回転に伴いカム２２Ｌの凸状径部２２ａが下方近傍に到って凸状径部２２ａとカムフォロア９Ｌとが摺接して行くことにより、プレスローラアーム２５Ｌの自由端突出面２５ｂが印圧解除爪部材２８Ｌの自由端面部２８ｂを摺接しつつ、プレスローラアーム２５Ｌが中心軸２４Ｌを中心として下方に揺動する。そして、カム２２Ｌの凸状径部２２ａの頂点付近が最下方に位置する回転位置において、プレスローラアーム２５Ｌの切欠き爪２５ａと印圧解除爪部材２８Ｌの係止爪２８ａとが、噛み合う。なお、このままの状態で版胴１が１回転以上回転されてもその噛み合いが外れることはない。したがって、上記状態においては、プレスローラ９は版胴１の外周面１ａ及びクランパ４の輪郭外周面から離間された状態が維持される。
【００３５】
印刷時には、版胴１を回転させながらソレノイド３３に印圧オン指令が送出されて励磁される。この時、カム２２Ｌの凸状径部２２ａの頂点付近が下方に位置し、凸状径部２２ａの頂点とカムフォロア９Ｌとが摺接すると、引張りコイルバネ２６の付勢力に抗してプレスローラアーム２５Ｌが若干下方に押し下げられ、これにより、互いに当接していた切欠き爪２５ａの上面と係止爪２８ａの下面とが離間する。すると、ソレノイド３３に印圧オン指令が送出されて励磁されていたプランジャ３３ｐが吸引移動され、印圧解除爪部材２８Ｌが実線位置に変位されて切欠き爪２５ａと係止爪２８ａとの噛み合いが解除される。以後、再び、ソレノイド３３が非励磁状態となる非印刷時までは、版胴１の回転と同期して版胴１の非画像印刷範囲及び画像印刷範囲に対するプレスローラ９の圧接と離間とが繰り返される。
【００３６】
本形態にかかる孔版印刷装置は、プレスローラ９とインキ供給ローラ５との水平方向へのオフセット量を調整する印圧部材可変機構５０を備えている。印圧部材可変機構５０は、図２に示すように、プレスローラ９の両端を回転自在に支持する各プレスローラアーム２５Ｌ，２５Ｒと、各プレスローラアーム２５Ｌ，２５Ｒの揺動中心を貫通し、各プレスローラアーム２５Ｌ，２５Ｒと係合する係合部２４Ａ、２４Ｂが形成された中心軸２４と、引張りコイルバネ２６，２６と、中心軸２４を回転駆動する駆動モータ６１を備えた駆動手段６０と、中心軸２４の回転角を検出する回転角検出手段７０とで構成されている。
【００３７】
回転角検出手段７０は、中心軸２４の略中央に軸と一体回転可能に設けらたれた回転角度検知用部材となるパルスエンコーダ７１と、パルスエンコーダ７１の回転から中心軸２４の回転角度を検出するセンサとなるフォトセンサ７２とを備えている。パルスエンコーダ７１には、等長のパルスを発生させるスリット部７１Ａと、スリット部７１Ａよりも長いパルスを発生させる非スリット部７１Ｂとが形成されていて、これら各部により発生されるパルス長の差異より中心軸２４の初期設定位置が検出可能とされている。
【００３８】
駆動機構６０は、機枠２９Ｒの外方にまで延在されている中心軸２４の一端２４Ｄに一体的に設けられたウォームホイール６２と、正／逆両方向に回転可能な駆動モータ６１の出力軸６１ａに設けられ、ウォームホイール６２と噛み合うウォームギア６３とを備えている。ウォームギア６３は、駆動モータ６１が駆動されることで出力軸６１ａと一体回転するようになっている。ウォームギア６３は、その進み角をγ、摩擦係数をμ、歯直角圧力角をαｎとした場合、γ≦μ／ｃｏｓαなる所謂、自動シマリの条件を満足するものである。すなわち、駆動機構６０は、ウォームホイール６２側からウォームギア６３を駆動出来ない、逆転防止構成を備えている。中心軸２４の係合部２４Ａ、２４Ｂは、図3に示すように、中心軸２４の係合部以外の軸部２４Ｃよりも大径の偏心円として形成されており、プレスローラアーム２５Ｌ、２５Ｒの基端部に固定されている。係合部２４Ａ、２４Ｂの中心８０は、図４に示すように、中心軸２４の中心８１に対して寸法eだけ偏心するように形成されている。
【００３９】
図６に示すように、駆動モータ６１とフォトセンサ７２は制御手段９０に接続されている。制御手段９０は、周知のＣＰＵやメモリ等を備えたコンピュータであって、フォトセンサ７２からのパスル信号に応じて駆動モータ６１の駆動方向と駆動時間を制御する。
【００４０】
図４はプレスローラ９が版胴１を介してインク供給ローラ５に圧接されている状態、すなわち印刷位置を示し、この時のインク供給ローラの中心８２とプレスローラ５の中心８３との水平方向距離をオフセット量δと称する。オフセット量δは、その値が小さくなるにつれて外周面１ａに供給されるインク量が増えて行く特性を有し、通常は使用されるインク／マスタ等に合わせ２ｍｍ〜４ｍｍ程度に設定される。また、孔版印刷装置の機種により多少は異なるが、オフセット量δを１ｍｍ増減した場合、インク供給量は約１０％程増減する事が知られている。
【００４１】
図４において、中心軸２４は初期設定位置にあり、中心軸２４の軸部２４Ｃの中心８１とプレスローラアーム２５Ｌ、２５Ｒに固定された係合部２４Ａ、２４Ｂの中心８０は、水平方向には一致しているが垂直方向には寸法eだけ偏心している。このため、初期設定状態から駆動モータ６１が駆動されて中心軸２４が時計方向に回転駆動されると、軸部２４Ｃの中心位置は中心軸２４の両端が機枠２９Ｌ、２９Ｒに回転自在に支持されているため不変であるが、各プレスローラアームを軸支する係合部２４Ａ、２４Ｂの中心８１は、初期設定位置から回転角θ＝９０度に至るまで偏心ｅの効果で徐々に図右方に位置を変えて行く。このため、プレスローラアーム２５Ｌ、２５Ｒ及びこれらアームに回転自在に支持されているプレスローラ９も図右方に移動して行く事になり、インキ供給ローラ５とのオフセット量δは狭小化される。
【００４２】
中心軸２４は初期設定位置にある状態で、駆動モータ６１が逆方向に駆動されて中心軸２４が反時計回りに回転駆動された場合には、同様にして初期設定位置から回転角θ＝−９０度に至るまで、オフセット量δは徐々に大きくなって行く。つまり、オフセット量δの初期設定量を３ｍｍ、中心軸２４の偏心量ｅを１ｍｍとした場合には、中心軸２４が回転角９０度＜θ＜−回転角９０度の範囲で回転することにより、オフセット量は２ｍｍ＜δ＜４ｍｍの範囲で変位して行くことになる。
【００４３】
中心軸２４の駆動は、逆転防止の条件を満たすウォームギア６３を介して行われるので、中心軸２４が駆動モータ６１側からのみ回転可能とすることができ、ウォームホイール６２側から回転することを防止することがない。このため、版胴１の回転力及び引っ張りコイルバネ２６，２６の付勢力の反力により、意図しない方向に中心軸２４が回転し、初期のオフセット量が変位してしまう事を防止できる。
【００４４】
図７は、図５に示す孔版印刷装置が印刷速度情報を設定する印刷速度設定手段９１を有する場合の制御系を示す。印刷速度設定手段９１は、標準速度を設定する標準スイッチ９１ｂ、標準速度よりも遅い速度を設定する低速スイッチ９１ａ、標準速度よりも早い速度を設定する高速スイッチ９１ｃを備えている。これら各スイッチは図６と同一機能を有する制御手段９０に接続されている。ここでの制御手段９０は、印刷速度設定手段９０が操作されて印刷速度が選択されると、設定速度情報をメモリに記憶し、設定された印刷速度情報に応じて駆動モータ６１の駆動時間及び回転方向を制御するように機能する。
【００４５】
本形態では、標準スイッチ９１ａが操作されて標準速度情報が設定された場合には、駆動モータを駆動して中心軸２４を初期設定位置とする。低速スイッチ９１ｂが操作されて低速速度情報が設定された場合には、オフセット量δが大きくなる方向に中心軸２４を移動させるように駆動モータ６１の駆動を制御する。高速スイッチ９１ｃが操作されて高速速度情報が設定された場合には、オフセット量δが小さくなる方向に中心軸２４を移動させるように駆動モータ６１の駆動を制御する。つまり、オフセット量δの初期設定量を３ｍｍ、中心軸２４の偏心量ｅを１ｍｍとした場合には、中心軸２４が回転角９０度＜θ＜−回転角９０度の範囲で回転することにより、オフセット量は、低速スイッチ９１ｂが操作された場合には４ｍｍに設定され、高速スイッチ９１ｃが操作された場合には２ｍｍに設定されことになる。
【００４６】
本形態によると、インク供給量が減少する高速印刷時には、オフセット量δが小さくなるのでインク供給ローラ５とプレスローラ５との圧接力が大きくなり、版胴内部から外部へのインク供給量を増加させる事ができ、印刷濃度の低下を補正する事ができる。インク供給量が増加する低速印刷時には、オフセット量δが大きくなるのでインク供給ローラ５とプレスローラ５との圧接力が小さくなり、版胴内部から外部へのインク供給量を低減させる事ができる。すなわち、印刷速度に因らず安定した濃度の印刷画像を得られる。
【００４７】
図８は、図５に示す孔版印刷装置が気温を検出する温度検出手段としての温度センサ９２を有する場合の制御系を示す。温度センサ９２は図６と同一機能を有する制御手段９０に接続されている。ここでの制御手段９０には、基準温度情報と低温度情報及び高温度情報の第１〜第３の温度情報がメモリに記憶されていて、検出された温度情報に応じて駆動モータ６１の駆動時間及び回転方向を制御するように機能する。
【００４８】
本形態では、温度センサ９２で検出された温度情報が第１の温度情報となる基準温度情報の場合には、駆動モータを駆動して中心軸２４を初期設定位置とする。温度センサ９２で検出された温度情報が第２の温度情報となる低温度情報の場合には、オフセット量δが小さくなる方向に中心軸２４を移動させるように駆動モータ６１の駆動を制御する。温度センサ９２で検出された温度情報が第３の温度情報となる高温度情報の場合には、オフセット量δが大きくなる方向に中心軸２４を移動させるように駆動モータ６１の駆動を制御する。つまり、オフセット量δの初期設定量を３ｍｍ、中心軸２４の偏心量ｅを１ｍｍとした場合には、中心軸２４が回転角９０度＜θ＜−回転角９０度の範囲で回転することにより、オフセット量は、検知温度が低温度情報の場合には２ｍｍに設定され、検知温度が高温度情報の場合には４ｍｍに設定されことになる。
【００４９】
本形態によると、インク供給量が減少する低温度の環境時には、オフセット量δが小さくなるのでインク供給ローラ５とプレスローラ５との圧接力が大きくなり、版胴内部から外部へのインク供給量を増加させる事ができ、印刷濃度の低下を補正する事ができる。インク供給量が増加する高温度環境時には、オフセット量δが大きくなるのでインク供給ローラ５とプレスローラ５との圧接力が小さくなり、版胴内部から外部へのインク供給量を低減させる事ができる。すなわち、温度に因らず安定した濃度の印刷画像を得られる。
【００５０】
本形態では、温度情報と気温を検知しているが、版胴内部のインキ溜まりのインキ温度や孔版印刷装置の内部温度を検出してもよい。制御手段９０に予め記憶した第１〜第３の温度情報は特定の温度情報であっても良いし、特定の温度範囲であっても良い。例えば、第１の温度情報となる基準温度情報は摂氏２５℃±５℃とし、第２の温度情報となる低温度情報を１９℃以下とし、第３の温度情報となる高温度情報を３６℃以上とする。あるいは第１の温度情報となる基準温度情報は摂氏２５℃とし、第２の温度情報となる低温度情報を１５℃とし、第３の温度情報となる高温度情報を４０℃とする。
【００５１】
図９は、図５に示す孔版印刷装置が印刷濃度を設定する印刷濃度設定手段９３を有する場合の制御系を示す。印刷濃度設定手段９３は、標準濃度を設定する標準スイッチ９３ｂ、標準濃度よりも薄い濃度を設定する薄いスイッチ９３ａ、標準濃度よりも濃い濃度を設定する濃いスイッチ９３ｃを備えている。これら各スイッチは図６と同一機能を有する制御手段９０に接続されている。ここでの制御手段９０は、印刷濃度設定手段９３が操作されて印刷濃度が設定されると、設定印刷濃度情報をメモリに記憶し、設定された印刷濃度情報に応じて駆動モータ６１の駆動時間及び回転方向を制御するように機能する。
【００５２】
本形態では、標準スイッチ９３ａが操作されて標準濃度情報が設定された場合には、駆動モータ６１を駆動して中心軸２４を初期設定位置とする。低いスイッチ９３ｂが操作されて低濃度情報が設定された場合には、オフセット量δが大きくなる方向に中心軸２４を移動させるように駆動モータ６１の駆動を制御する。濃いスイッチ９３ｃが操作されて高濃度情報が設定された場合には、オフセット量δが小さくなる方向に中心軸２４を移動させるように駆動モータ６１の駆動を制御する。つまり、オフセット量δの初期設定量を３ｍｍ、中心軸２４の偏心量ｅを１ｍｍとした場合には、中心軸２４が回転角９０度＜θ＜−回転角９０度の範囲で回転することにより、オフセット量は、低いスイッチ９３ｂが操作された場合には４ｍｍに設定され、濃いスイッチ９３ｃが操作された場合には２ｍｍに設定されことになる。
【００５３】
本形態によると、濃い印刷状態を希望する場合には、オフセット量δが小さくなるのでインク供給ローラ５とプレスローラ５との圧接力が大きくなり、版胴内部から外部へのインク供給量が増加され、印刷濃度を濃い側に補正することができる。薄い印刷状態を希望する場合には、オフセット量δが大きくなるのでインク供給ローラ５とプレスローラ５との圧接力が小さくなり、版胴内部から外部へのインク供給量が低減され、印刷濃度を薄い側に補正することができる。すなわち、希望の印刷濃度の印刷画像を得られる。
【００５４】
図１０は、図５に示す孔版印刷装置が印刷枚数を計数する印刷枚数計数手段となる印刷枚数カウンター９４を有する場合の制御系を示す。印刷枚数カウンター９４は、印刷前に図示しないテンキーによって設定される印刷枚数をカウントするものであり、図６と同一機能を有する制御手段９０に接続されている。ここでの制御手段９０には、基準枚数情報がメモリに記憶されていて、カウントされた印刷枚数情報に応じて駆動モータ６１の駆動時間及び回転方向を制御するように機能する。
【００５５】
本形態では、印刷枚数カウンター９４でカウントされた印刷枚数が基準枚数情報を超えるまでは、オフセット量δが最小になる方向に中心軸２４を移動させるように駆動モータ６１の駆動を制御し、カウントされた印刷枚数が基準枚数情報を超えると、オフセット量δが大きくなる方向に徐々に中心軸２４を移動させるように駆動モータ６１の駆動を制御する。つまり、オフセット量δの初期設定量を３ｍｍ、中心軸２４の偏心量ｅを１ｍｍとした場合には、中心軸２４が回転角９０度＜θ＜−回転角９０度の範囲で回転することにより、オフセット量は、印刷枚数が基準枚数情報を超えるまでは２ｍｍに設定され、印刷枚数が基準枚数情報を超えると、２ｍｍ〜４ｍｍに向かって徐々に移動されことになる。
【００５６】
本形態によると、基準枚数情報を５枚とすると、インク供給量が少ない製版直後、すなわち印刷開始直後５枚までは、オフセット量δが最小とされるのでインク供給ローラ５とプレスローラ５との圧接力が大きく、版胴内部から外部へのインク供給量を増加させることができ、印刷所における印刷濃度の低下を補正することができる。また、印刷が進んでインキが版胴外周やマスタに馴染んでくると、オフセット量δが徐々に大きくなるのでインク供給ローラ５とプレスローラ５との圧接力が小さくなり、版胴内部から外部へのインク供給量を低減し、機械設定の印刷濃度で印刷を行うことができる。すなわち、印刷初期から印刷終了に渡って印刷濃度のバラツキを低減することができる。
【００５７】
本形態では、基準枚数情報を５枚としたが、この枚数に限定されるものではなく、装置構成やインキ粘性などを考慮して適宜設定すればよい。この基準枚数情報は装置出荷時から予め設定しても良いし、図示しない基準枚数設定手段を設け、この手段により装置使用者が任意に基準枚数情報、すなわちオフセット量切換え枚数を設定できるようにしても良い。カウントされた印刷枚数が基準枚数情報を超えるとオフセット量δを徐々に大きくする方向に移動させる場合、基準枚数経過後、所定枚数毎に駆動モータ６１の駆動を制御して段階的にオフセット量δを所定の印刷濃度になるように大きくしても良いし、基準枚数経過後、例えば中心軸２４の回転角を、カウント枚数が１枚増加する度に、数度ずつ−９０度に向かって移動するように駆動モータ６１の駆動を段階的に制御してもよい。
【００５８】
図１１は、図５に示す孔版印刷装置がインキの種類を設定／記憶するインキ情報設定手段９５を有する場合の制御系を示す。インキ情報設定手段９５は、標準粘度を設定する標準スイッチ９５ｂ、標準粘度よりも緩い低粘度を設定する低粘度スイッチ９５ａ、標準濃度よりも硬い濃度を設定する高濃度スイッチ９５ｃを備えている。これら各スイッチは図６と同一機能を有する制御手段９０に接続されている。ここでの制御手段９０は、インキ情報設定手段９５が操作されてインキ粘度、すなわちインキ種類情報が設定されると、インキ種類情報をメモリに記憶し、設定されたインキ種類情報に応じて駆動モータ６１の駆動時間及び回転方向を制御するように機能する。
【００５９】
本形態では、標準スイッチ９５ａが操作されて標準濃度情報が設定された場合には、駆動モータ６１を駆動して中心軸２４を初期設定位置とする。低粘度スイッチ９５ｂが操作されて低粘度インキ情報が設定された場合には、インキ供給量が多くなりがちなので、オフセット量δが大きくなる方向に中心軸２４を移動させるように駆動モータ６１の駆動を制御する。高粘度スイッチ９５ｃが操作されて高粘度インキ情報が設定された場合には、インキ供給量が少なくなりがちなので、オフセット量δが小さくなる方向に中心軸２４を移動させるように駆動モータ６１の駆動を制御する。つまり、オフセット量δの初期設定量を３ｍｍ、中心軸２４の偏心量ｅを１ｍｍとした場合には、中心軸２４が回転角９０度＜θ＜−回転角９０度の範囲で回転することにより、オフセット量は、低粘度スイッチ９５ｂが操作された場合には４ｍｍに設定され、高粘度スイッチ９５ｃが操作された場合には２ｍｍに設定されことになる。
【００６０】
本形態によると、使用されるインキの種類、すなわちインキ粘度が低粘度の場合には、オフセット量δが大きくなるのでインク供給ローラ５とプレスローラ５との圧接力が小さくなり、版胴内部から外部へのインク供給量が低減され、印刷濃度を薄い側に補正することができる。インキ粘度が高粘度の場合には、オフセット量δが小さくなるのでインク供給ローラ５とプレスローラ５との圧接力が大きくなり、版胴内部から外部へのインク供給量が増加され、印刷濃度を濃い側に補正することができる。すなわち、インキの種類に因らず安定した濃度の印刷画像を得られる。
【００６１】
各形態において、インク供給量の増減はオフセット量δの変位量１ｍｍに対し１０％程度と比較的緩やかであるため、インク供給ローラ５とドクタローラ６との隙間の如く０．０１ｍｍ単位で管理する必要が無く、オフセット量δを変移させた時に画像の左右（プレスローラの軸線方向）での濃度差等を生じることが極めて少なくなり、安定した印刷画像を得ることができる。
【図面の簡単な説明】
【００６２】
【図１】本発明の一実施の形態を示す印圧部材可変機構の概略構成を示す斜視図である。
【図２】印圧部材可変機構の詳細な構成を示す斜視図である。
【図３】印刷部材を支持する中心軸と係合部の構成を示す拡大斜視図である。
【図４】印圧部材可変機構によるオフセット量変化の原理を説明するための拡大図である。
【図５】印圧部材可変機構が適用される孔版印刷装置の一例を示す概略構成図である。
【図６】印圧部材可変機構の駆動モータを制御する制御系の一形態を示すブロック図である。
【図７】印圧部材可変機構の駆動モータを印刷速度に応じて制御する制御系の一形態を示すブロック図である。
【図８】印圧部材可変機構の駆動モータを温度に応じて制御する制御系の一形態を示すブロック図である。
【図９】印圧部材可変機構の駆動モータを印刷濃度に応じて制御する制御系の一形態を示すブロック図である。
【図１０】印圧部材可変機構の駆動モータを印刷枚数に応じて制御する制御系の一形態を示すブロック図である。
【図１１】印圧部材可変機構の駆動モータをインキ種類に応じて制御する制御系の一形態を示すブロック図である。
【符号の説明】
【００６３】
１    版胴
１ａ    外周面
１ｂ    版胴内周面
３    印刷用原紙
５    インキ供給ローラ
７    インキ供給源
９    印圧部材
２４    中心軸
２４Ａ、２４Ｂ    係合部
２４Ｃ    係合部がそれ以外の軸部
２５Ｌ、２５Ｒ    一対のアーム部材
２６、２６    移動習性を与える部材
５０    印圧部材可変機構
６０    駆動手段
６１    駆動モータ
６１Ａ    駆動モータの出力軸
６２    ウォームホイール
６３    ウォームギア
７０    回転角検出手段
７１    回転角度検知用部材
７２    回転角度を検出するセンサ
９０    制御手段
９１    印刷速度設定手段
９２    温度検出手段
９３    印刷濃度設定手段
９４    印刷枚数計数手段
９５    インキ情報設定手段
Ｐ    印刷用紙
δ    オフセット量
【図１】
2005138550.tif 000003
【図２】
2005138550.tif 000004
【図３】
2005138550.tif 000005
【図４】
2005138550.tif 000006
【図５】
2005138550.tif 000007
【図６】
2005138550.tif 000008
【図７】
2005138550.tif 000009
【図８】
2005138550.tif 000010
【図９】
2005138550.tif 000011
【図１０】
2005138550.tif 000012
【図１１】
2005138550.tif 000013